(57)【要約】ホウ素中性子捕捉療法の増強剤として、その治療原理に対して理想的な効果および物性を持つ化合物がのぞまれている。その解決手段として、本発明は、チオール基を有するホウ素クラスターとマレイミド官能基を付与したマルチアームポリエチレングリコールとが結合したことを特徴とするＰＥＧ化ホウ素クラスター化合物、ＰＥＧ化ホウ素クラスター化合物を含む抗腫瘍剤、ホウ素中性子捕捉療法に用いるＰＥＧ化ホウ素クラスター化合物を含む増強剤を提供する。
2020040296.tif 000002
【特許請求の範囲】
【請求項１】
チオール基を有するホウ素クラスターと、マレイミド官能基を付与したマルチアームポリエチレングリコールとが結合したことを特徴とするＰＥＧ化ホウ素クラスター化合物。
【請求項２】
チオール基を有するホウ素クラスターが、ホウ素イオンクラスターの単分子化合物ボロカプテイト（ＢＳＨ）であることを特徴とする請求項１に記載のＰＥＧ化ホウ素クラスター化合物。
【請求項３】
マルチアームポリエチレングリコールが、４官能基タイプであることを特徴とする請求項１又は請求項２に記載のＰＥＧ化ホウ素クラスター化合物。
【請求項４】
構造式が以下の式（１）
【化１】
2020040296.tif 000007
〔式中、ｍ、ｎ、ｐ、およびｑは同一または異なって１〜１００の整数である。〕
で示されることを特徴とする請求項１から請求項３のいずれか一項に記載のＰＥＧ化ホウ素クラスター化合物。
【請求項５】
構造式が以下の
【化２】
2020040296.tif 000008
で示されることを特徴とする請求項１から請求項４のいずれか一項に記載のＰＥＧ化ホウ素クラスター化合物。
【請求項６】
請求項１から請求項５のいずれか一項に記載のＰＥＧ化ホウ素クラスター化合物を含有することを特徴とする抗腫瘍剤。
【請求項７】
請求項１から請求項５のいずれか一項に記載のＰＥＧ化ホウ素クラスター化合物を有効成分として含むことを特徴とする腫瘍の放射性治療に用いる増強剤。
【請求項８】
請求項７に記載の放射線治療が、中性子捕捉療法であることを特徴とする増強剤。
【請求項９】
請求項７又は請求項８に記載の腫瘍が、悪性脳腫瘍、悪性黒色腫、頭頚部腫瘍、肝臓がん、肺がん、中皮腫、または骨軟部肉腫であることを特徴とする増強剤。
【請求項１０】
請求項１から請求項４のいずれか一項に記載のＰＥＧ化ホウ素クラスター化合物を使用することを特徴とする腫瘍のホウ素中性子捕捉療法。
【請求項１１】
請求項１０に記載の腫瘍が、悪性脳腫瘍、悪性黒色腫、頭頚部腫瘍、肝臓がん、肺がん、中皮腫、または骨軟部肉腫であることを特徴とする腫瘍のホウ素中性子捕捉療法。
【発明の詳細な説明】
【技術分野】
【０００１】
本発明は、癌の放射線治療に用いる増感剤およびその有効成分に関する。
【背景技術】
【０００２】
放射線治療の一つとして、原子炉や加速器から生成された中性子と、悪性腫瘍に取り込まれたホウ素（１０Ｂ）との核反応により生じるα線により悪性腫瘍を治療するホウ素中性子捕捉療法（ＢＮＣＴ）が知られている。本治療法は、その原理から正常細胞にほとんど損傷を与えず、腫瘍細胞のみを選択的に破壊することができる（非特許文献１）。【０００３】
ＢＮＣＴの臨床研究で用いられているホウ素化合物としては、ボロノフェニルアラニン（ＢＰＡ）および、ホウ素イオンクラスターの単分子化合物ボロカプテイト（ＢＳＨ）が知られているが、腫瘍集積の観点からは治療効果は十分とはいえず、腫瘍内ホウ素濃度および腫瘍・正常組織におけるホウ素濃度比（Ｔ／Ｎ比）をさらに向上させる必要がある。このため、さらに腫瘍組織のみへ高濃度でホウ素を集積させる技術として、表面をポリエチレングリコール（ＰＥＧ）で被覆したリポソームにＢＳＨなどの親水性ホウ素化合物を封入する手法が用いられている（非特許文献２）。しかしながら、これらの方法でも有効な治療域までのホウ素集積が難しい。【０００４】
以下の式（ＩＩ）【０００５】
【化１】
2020040296.tif 000003
【０００６】
［式中、ｍおよびｎは、それぞれ独立して、１〜４の整数であり、ｑは、１〜２８０の整数であり、Ｒ１およびＲ２は、それぞれ独立して、炭素数８〜２２の炭化水素基である。］
の構造を持つホウ素クラスター修飾ＰＥＧ脂質誘導体（ＰＢＬ）およびこれを膜表面に被覆したリポソームも知られている（特許文献１）が、より強い効果を示す化合物の開発が望まれている。
【先行技術文献】
【特許文献】
【０００７】
【特許文献１】特許第６２０６９２５号公報
【非特許文献】
【０００８】
【非特許文献１】ヤマモト  ティー，ナカイ  ケー，カゲイ  ティー，クマダ  エィチ，エンドウ  ケー，マツダ  エム、アンド  マツムラ  エー、ラジオセラピー  アンドオンコロジー、２００９年、４月、９１巻、１号、８０―８４頁
【非特許文献２】マツヤマ  ケー、イシダ  オー、カサオカ  エス、タキザワ  ティー，ウトグチ  エヌ、シノハラ  エー、チバ  エム、コバヤシ  エイチ、エリグチ  エム、ヤナギ  エイチ、ジャーナル  オブ  コントロール  リリース、２００４年、８月１１日、９８巻、２号、１９５―２０７頁
【発明の概要】
【発明が解決しようとする課題】
【０００９】
ホウ素中性子捕捉療法に用いられている公知のホウ素化合物は、一定の評価は得られているものの再発例も多く、理想的な薬剤とはいえなかった。ホウ素中性子捕捉療法の原理から理想的な薬剤に必要な条件は、腫瘍内でホウ素濃度が２０ｐｐｍ以上になること、腫瘍・血液におけるホウ素濃度比（Ｔ／Ｂ比）および腫瘍・正常組織におけるホウ素濃度比（Ｔ／Ｎ比）が５以上になること、さらに化合物が水溶性であることが必要であり、そのような条件を充足する化合物が求められていた。
【課題を解決するための手段】
【００１０】
本発明は、
〔１〕チオール基を有するホウ素クラスターと、マレイミド官能基を付与したマルチアームポリエチレングリコールとが結合したことを特徴とするＰＥＧ化ホウ素クラスター化合物、
〔２〕チオール基を有するホウ素クラスターが、ホウ素イオンクラスターの単分子化合物ボロカプテイト（ＢＳＨ）であることを特徴とする〔１〕に記載のＰＥＧ化ホウ素クラスター化合物、
〔３〕マルチアームポリエチレングリコールが、４官能基タイプであることを特徴とする〔１〕又は〔２〕に記載のＰＥＧ化ホウ素クラスター化合物、
〔４〕構造式が以下の式（１）【００１１】
【化２】
2020040296.tif 000004
【００１２】
〔式中、ｍ、ｎ、ｐ、およびｑは同一または異なって１〜１００の整数である。〕
で示されることを特徴とする〔１〕から〔３〕のいずれかひとつに記載のＰＥＧ化ホウ素クラスター化合物、
〔５〕構造式が以下の【００１３】
【化３】
2020040296.tif 000005
【００１４】
で示されることを特徴とする〔１〕から〔４〕のいずれかひとつに記載のＰＥＧ化ホウ素クラスター化合物、
〔６〕〔１〕から〔５〕のいずれかひとつに記載のＰＥＧ化ホウ素クラスター化合物を含有することを特徴とする抗腫瘍剤、
〔７〕〔１〕から〔５〕のいずれかひとつに記載のＰＥＧ化ホウ素クラスター化合物を有効成分として含むことを特徴とする腫瘍の放射性治療に用いる増強剤、
〔８〕〔７〕に記載の放射線治療が、中性子捕捉療法であることを特徴とする増強剤、および
〔９〕〔７〕又は〔８〕に記載の腫瘍が、 悪性脳腫瘍、悪性黒色腫、頭頚部腫瘍、肝臓がん、肺がん、中皮腫、または骨軟部肉腫であることを特徴とする増強剤に関する。
本発明はまた、
〔１０〕〔１〕から〔４〕のいずれかひとつに記載のＰＥＧ化ホウ素クラスター化合物を使用することを特徴とする腫瘍のホウ素中性子捕捉療法、
〔１１〕〔１０〕に記載の腫瘍が、 悪性脳腫瘍、悪性黒色腫、頭頚部腫瘍、肝臓がん、肺がん、中皮腫、または骨軟部肉腫であることを特徴とする腫瘍のホウ素中性子捕捉療法に関する。
【図面の簡単な説明】
【００１５】
【図１】図１はＢＡＭＰの純度分析ＬＣクロマトグラムの結果である。
【図２】図２はＢＡＭＰのＴＯＦ−ＭＳの結果である。
【図３】図３はＢＡＭＰおよびＢＳＨの抗腫瘍効果を示した結果である。
【図４】図４はＢＡＭＰと、ＢＳＨ、ＰＢＬ修飾リポソームおよびＢＳＨ内封ＰＢＬ修飾リポソームの抗腫瘍効果を示した結果である。
【図５】図５はＢＡＭＰと、ＢＰＡの抗腫瘍効果を示した図である。
【図６】図６はＢＡＭＰ２４ｍｇ１０Ｂ／Ｋｇ投与群とＢＡＭＰ１０ｍｇ１０Ｂ／Ｋｇ投与群の抗腫瘍効果を示した図である。
【発明を実施するための形態】
【００１６】
本発明のＰＥＧ化ホウ素クラスター化合物は、チオール基を有するホウ素クラスターとマレイミド官能基を付与したマルチアームポリエチレングリコールとが結合したことを特徴とする。
【００１７】
本発明において、ホウ素クラスターとは、ホウ素イオンクラスターの単分子化合物であって、カルボラン、ドデカボレート、分子式がＢ１０Ｈ１０で表されるイオンクラスター、分子式がＭ（Ｃ２Ｂ９Ｈ１０）２で表わされるサンドイッチ型イオンクラスター（Ｍは遷移元素）（これらは置換基を有していてもよい）から選択される。ただし、とりわけチオール基と結合している化合物として、ボロカプテイト（ＢＳＨ）を用いることが好ましい。  
【００１８】
マレイミド官能基を付与したマルチアームポリエチレングリコールとは、ポリエチレングリコール（ＰＥＧ）の中で、３−８個、好ましくは４個のＰＥＧが枝分かれをした形状をしたマルチアームポリエチレングリコールを他の化合物と結合させるために、マルチアームポリエチレングリコールに化学修飾用のマレイミド官能基を結合させた化合物を言う。マルマルチアームポリエチレングリコールに結合するマレイミド官能基の数は、２個以上であれば良いが、好ましくは４個が良い。このようなマルチアームポリエチレングリコールはＤＤＳ用ポリエチレングリコール修飾剤サンブライト（商品名、油化産業株式会社製）として市販されており、マレイミド官能基２基がマルチアームポリエチレングリコールに結合した化合物としては、サンブライト２ＴＳ−ＧＬ２−０２０ＢＯ３、サンブライト２ＴＳ−ＧＬ２−０２０ＡＺ３、サンブライト２ＴＳ−Ｂ１２−ＡＺ、サンブライト２ＴＳ−Ｂ１２−ＤＢ、サンブライト２ＴＳ−Ｂ１２−ＢＯが挙げられ、マレイミド官能基３基がマルマルチアームポリエチレングリコールに結合した化合物としては、サンブライト２ＴＳ−Ｂ１２−ＢＯ、サンブライト２ＴＳ−ＧＬ２−０２０ＭＡ４が挙げられ、マレイミド官能基４基がマルマルチアームポリエチレングリコールに結合した化合物としては、サンブライトＰＴＥ−１００ＭＡ、サンブライトＰＴＥ−２００ＭＡ、サンブライトＰＴＥ−４００ＭＡ、が挙げられるが、とりわけ好ましくはマレイミド官能基４基がマルチアームポリエチレングリコールに結合した化合物である。なお、マレイミド官能基を付与したマルチアームポリエチレングリコールの例示に商品名を用いたが、商品名が異なっていても構造が同一であれば、本発明のマルチアームポリエチレングリコールに含まれる。
【００１９】
本発明のチオール基を有するホウ素クラスターとマレイミド官能基を付与したマルチアームポリエチレングリコールとが結合したことを特徴とするＰＥＧ化ホウ素クラスター化合物には以下の式（Ｉ）の化合物が含まれる。
【００２０】
【化４】
2020040296.tif 000006
【００２１】
〔式中、ｍ、ｎ、ｐ、およびｑは同一または異なって１〜１００の整数である。〕
上記式（Ｉ）において、ポリエチレングリコールの重合度を示すｍ、ｎ、ｐ、およびｑは同一または異なって１〜１００の整数を示すが、好ましくは３０〜６０、より好ましくは４０〜５０を示す。本発明のとりわけ好ましい構造としては以下の化合物ＢＡＭＰ（ボロンアタッチドマルチアームペグ）が挙げられる。
【００２２】
本発明のＰＥＧ化ホウ素クラスター化合物の製造方法は、チオール基を有するホウ素クラスターとマレイミド官能基を付与したマルチアームポリエチレングリコールとを、マルチアームポリエチレングリコールの官能基数や分子量により相違があるが、１対１から１対１０、好ましくは１対２の重量比で、ｐＨ７．０〜ｐＨ９．０好ましくはｐＨ８．０の緩衝液中、１０〜３０℃，好ましくは２０℃付近の室温状態で，１〜５時間，好ましくは２．５時間〜３．５時間、攪拌を行ないながら反応させる。緩衝液としてはリン酸緩衝液、トリス塩酸緩衝液等どのようなものでも良いが、とりわけリン酸緩衝生理食塩水を（ＰＢＳ）を用いることが好ましい。
【００２３】
得られた反応溶液を透析法等により脱塩を行ない不要な低分子を取り除いた後、凍結乾燥法により固体として保存する。具体的には反応溶液を透析チューブ等に入れ、外液には蒸留水等を用い、随時外液を交換しながら３６〜７２時間、好ましくは４８時間透析を行ない、得られた反応物を１２時間〜３６時間、好ましくは２４時間凍結乾燥を行なうことにより固体化したＰＥＧ化ホウ素クラスター化合物を得ることができる。
【００２４】
本発明におけるチオール基を有するホウ素クラスターとマレイミド官能基を付与したマルチアームポリエチレングリコールとが結合したことを特徴とするＰＥＧ化ホウ素クラスター化合物を含有することを特徴とする抗腫瘍剤とは、前記ＰＥＧ化ホウ素クラスター化合物を含有し、腫瘍内またはその近傍に吸収されたホウ素が中性子との核反応により放出するα線によって腫瘍細胞の成長、分裂を阻害する機能を持つ医薬品を示し、経口剤または注射剤として用いることができるが、好ましくは注射剤として用いる。前記抗腫瘍剤が用いられる腫瘍としてはどのようなものでもよいが、悪性脳腫瘍、悪性黒色腫、頭頚部腫瘍、肝臓がん、肺がん、中皮腫、または骨軟部肉腫等が挙げられる。
【００２５】
本発明におけるチオール基を有するホウ素クラスターとマレイミド官能基を付与したマルチアームポリエチレングリコールとが結合したことを特徴とするＰＥＧ化ホウ素クラスター化合物を含有することを特徴とする腫瘍の放射性治療に用いる増強剤とは、放射性治療の一つであるホウ素中性子捕捉療法（ＢＮＣＴ）において、中性子による腫瘍の生育阻害または殺傷効果を増強するために、予め腫瘍細胞内に浸透し、中性子線によりホウ素が放出するα線により腫瘍細胞の生育阻害または殺傷効果を持つ、ホウ素中性子捕捉療法（ＢＮＣＴ）の増強剤となり得るＰＥＧ化ホウ素クラスター化合物を含有する増強剤であれば良く、通常、医薬品の経口剤または注射剤、好ましくは注射剤の形態を持つものを言う。
【００２６】
前記抗腫瘍剤および放射性治療に用いる増強剤における経口剤、局所吸収製剤または注射剤は、チオール基を有するホウ素クラスターとマレイミド官能基を付与したマルチアームポリエチレングリコールとが結合したことを特徴とするＰＥＧ化ホウ素クラスター化合物と当該技術分野で周知の薬学的に許容し得る担体とを、組み合わせることによって容易に製剤することができる。
【００２７】
注射剤としては、溶液または注射前に液体に溶解するのに適した固体形態として、従来方法により注射剤の形態に調製することができる。好適な賦形剤は、例えば、水、食塩水、デキストロース、マンニトール、ラクトース、レシチン、アルブミン、グルタミン酸ナトリウム、塩酸システインなどである。さらに、注射可能な医薬組成物は、必要に応じて、少量の無毒性補助物質、例えば湿潤剤、ｐＨ緩衝剤などを含んでもよい。生理学的に適合するバッファーは、限定されずに、ハンクス液、リンゲル液または生理食塩水バッファーを含む。
【００２８】
皮膚投与等に用いる局所製剤のゲル化剤、クリーム、軟膏および経口投与に用いる錠剤、カプセル剤等は常法により調製することができ、溶液状、懸濁液状、乳液状等の液状；ゲル状、ペースト状、クリーム状等の半固形状；粉末状、顆粒状、錠剤、ハード又はソフトカプセルに封入されたカプセル剤等の固形状等の形態とすることができる。
【００２９】
前記製剤に用いる添加剤としては、賦形剤、結合剤、崩壊剤、滑沢剤、被覆剤、基剤、溶剤、乳化剤、分散剤、懸濁化剤、安定化剤、粘稠剤、ｐＨ調整剤、抗酸化剤、防腐剤、保存剤、矯味剤、甘味剤、香料、着色剤等が挙げられる。
【００３０】
賦形剤としては、無水ケイ酸、ケイ酸カルシウム、ケイ酸アルミン酸マグネシウム、デンプン（トウモロコシデンプン、バレイショデンプン、コムギデンプン等）、糖類（ブドウ糖、乳糖、白糖等）、糖アルコール（ソルビトール、マルチトール、マンニトール等）等が挙げられる。
【００３１】
結合剤としては、ゼラチン、カゼインナトリウム、デンプンおよび加工デンプン（トウモロコシデンプン、ヒドロキシプロピルスターチ、アルファー化デンプン、部分アルファー化デンプン等）、セルロースおよびその誘導体（結晶セルロース、ヒドロキシプロピルセルロース、カルボキシメチルセルロース等）等が挙げられる。
【００３２】
崩壊剤としては、ポビドン、クロスポビドン、セルロースおよびその誘導体（結晶セルロース、メチルセルロース等）等が挙げられる。
【００３３】
滑沢剤としては、タルク、合成ケイ酸アルミニウム、ケイ酸マグネシウム、ステアリン酸カルシウム、ステアリン酸マグネシウム等が挙げられる。
【００３４】
被覆剤としては、メタクリル酸共重合体（メタクリル酸・アクリル酸エチル共重合体等）、メタクリレート共重合体（アクリル酸エチル・メタクリル酸メチル共重合体、アクリル酸エチル・メタクリル酸メチル・メタクリル酸塩化トリメチルアンモニウムエチル共重合体等）等が挙げられる。
【００３５】
基剤としては、炭化水素（流動パラフィン等）、ポリエチレングリコール（マクロゴール４００、マクロゴール１５００等）等が挙げられる。
【００３６】
溶剤としては、精製水、一価アルコール（エタノール等）、多価アルコール（プロピレングリコール、グリセリン等）等が挙げられる。
【００３７】
乳化剤としては、非イオン性界面活性剤（ソルビタン脂肪酸エステル、グリセリン脂肪酸エステル、ポリオキシエチレンソルビタン脂肪酸エステル、ショ糖脂肪酸エステル等）、陰イオン性界面活性剤（アルキル硫酸ナトリウム、Ｎ−アシルグルタミン酸塩等）、精製大豆レシチン等が挙げられる。
【００３８】
分散剤としては、アラビアゴム、アルギン酸プロピレングリコール、非イオン性界面活性剤（ポリオキシエチレン硬化ヒマシ油、ポリオキシエチレンソルビタン脂肪酸エステル、ポリオキシエチレンポリオキシプロピレングリコール等）、陰イオン性界面活性剤（アルキル硫酸ナトリウム等）等が挙げられる。
【００３９】
懸濁化剤としては、アルギン酸ナトリウム、非イオン性界面活性剤（ポリオキシエチレンラウリルエーテル、グリセリン脂肪酸エステル、ポリオキシエチレンソルビタン脂肪酸エステル、プロピレングリコール脂肪酸エステル等）等が挙げられる。
【００４０】
安定化剤としては、アジピン酸、エチレンジアミン四酢酸塩（カルシウム二ナトリウム塩、二ナトリウム塩等）、α−シクロデキストリン、β−シクロデキストリン等が挙げられる。
【００４１】
粘稠剤としては、水溶性高分子（ポリアクリル酸ナトリウム、カルボキシビニルポリマー等）、多糖類（アルギン酸ナトリウム、キサンタンガム、トラガント等）等が挙げられる。
【００４２】
ｐＨ調整剤としては、塩酸、リン酸、酢酸、クエン酸、乳酸、水酸化ナトリウム、リン酸水素ナトリウム等が挙げられる。
【００４３】
本発明の抗腫瘍剤および放射線治療に用いる増強剤の投与量は、理想的には最終的に腫瘍内でホウ素濃度が２０ｐｐｍ以上になることが好ましく、各有効成分の分子量によっても投薬量は薬物ごとに異なるが、患者の体重に対して３０ｍｇ／Ｋｇ−３００ｍｇ／Ｋｇ、好ましくは３０ｍｇ／Ｋｇ−２００ｍｇ／Ｋｇより好ましくは３０ｍｇ／Ｋｇ−１００ｍｇ／Ｋｇが投与される。投与部位は、ＢＮＣＴにおける中性子線照射部位が腫瘍の位置により異なるため、静脈内、皮下、筋肉内等各種部位に適用されることが必要である。また、投与間隔もＢＮＣＴの治療方針により決定されるが、単回投与で終了することもあり得る。
【００４４】
以下に処方例を示す。
処方例（注射剤）
ＢＡＭＰ凍結乾燥粉末     １８００ｍｇ
注射用蒸留水             １００ｍｌ
リン酸緩衝剤                    適量
全量                     １００ｍｌ
このような化合物は、そのまま、あるいは薬学的に許容できる塩の形態で、あるいはそれらと薬学的に許容できるキャリアーと混合して当業者に公知の製剤の形で、あるいはＢＳＨ封入ウイルスエンベロープベクターなどの形で、ホウ素中性子捕捉療法（ＢＮＣＴ）に好都合に用いられうる。
【００４５】
本発明のＰＥＧ化ホウ素クラスター化合物製剤を用いるＢＮＣＴ治療は、任意の適当な投与経路で、ＰＥＧ化ホウ素クラスター化合物が標的腫瘍中に蓄積するような方法で、投与することによって行われる。ＰＥＧ化ホウ素クラスター化合物は放射線照射前に腫瘍に濃縮することが好ましく、放射線照射前の腫瘍：血液比が約２：１または少なくとも１．５：1であると有利である。ＰＥＧ化ホウ素クラスター化合物は一度に投与することもできるし、順次投与することもできる。腫瘍内に化合物が望ましく蓄積した後、その部位に有効量の低エネルギー中性子を照射する。皮膚を通してその部位を照射することができるし、あるいはその部位を照射前に完全にあるいは部分的に暴露することもできる。ＰＥＧ化ホウ素クラスター化合物の投与とそれに続く放射線照射を必要に応じて繰り返すことができる。所望であれば、腫瘍を外科的に可能な程度に除去した後、残りの腫瘍を本発明のＰＥＧ化ホウ素クラスター化合物を使って破壊する。もう1つの態様として、患者に適当量のＰＥＧ化ホウ素クラスター化合物を投与し、天然に存在する中性子放射物質である２５２カリフォルニウムの有効量で照射する。これは腫瘍中に挿入し、適当な時間に取り出すことが好ましい。
【００４６】
ここで、腫瘍の種類は特に限定されないが、神経膠芽腫および悪性神経膠腫などを含む脳腫瘍、悪性黒色腫、乳がん、あるいは前立腺がんなどが特に好適な対象となり得る。その他、肺がん、子宮がん、腎臓がん、肝臓がんなどの上皮細胞がん、各種肉腫なども対象となり得る。
【実施例】
【００４７】
［実施例１］
４個のマレイミド官能基を付与したマルチアームポリエチレングリコールであるサンブライトＰＴＥ−１００ＭＡ（油化産業株式会社製）１２０ｍｇと、ホウ素イオンクラスターの単分子化合物である１０Ｂエンリチッド  ソデユウムメルカプトデカボレート（略称ＢＳＨ、カッチェム社製）６０ｍｇとをｐＨ８．０のリン酸緩衝生理食塩水（ＰＢＳ）１０ｍｌ中で、室温条件下、３時間混合攪拌することにより反応させた。反応は、高速液体クロマトグラフィー（ＨＰＬＣ）で進行度合いを確認しながら行なった。【００４８】
反応混合物を透析チューブ（ＭＷＣＯ：５００〜１０００）に入れ、透析外液の蒸留水の中に入れ、１２時間毎に透析外液を交換しながら４８時間、透析を行なった。透析により脱塩が行なわれた反応溶液の凍結乾燥を、２４時間行い反応生成物を得た。得られた反応生成物ＢＡＭＰの構造および収率を純度分析ＬＣクロマトグラム〔カラム名：ＡＣＵＩＴＹ ＵＰＬＣ ＢＥＣＨ  Ｃ１８（ウオーターズ社製）、溶離液Ａ：０．１％ＴＥＡ／Ｈ２Ｏ、溶離液Ｂ：０．２％ＴＦＡ／ＡＣＮ、グラジエント条件：Ｂ２５％、６分、９９％０．５ｍＬ／ｍｉｎ、カラム温度５０℃、分析時間６．８分〕およびＴＯＦ−ＭＳ〔島津バイオテックＡＸＩＭＡ（商品名：島津製作所製）〕で行なった。その結果を図１および図２に示した。得られたＢＡＭＰの純度は９９．８％であった。
［実施例２］
実施例１で得られたＢＡＭＰ、ＢＳＨ（カッチェム社製）、常法によりＰＢＬ修飾リポソームにＢＳＨを封入して製造して得たＰＢＬ−ＢＳＨ（ＢＳＨをリポソームに包接させたもの）およびＰＢＬ修飾リポソーム（ＰＢＬ−ｐｌａｎｅ）の４種類の試験化合物を、担がんマウスに投与し、ホウ素中性子捕捉療法（ＢＮＣＴ）実施時の治療増強効果および抗腫瘍効果を検討した。
担がんマウスモデルはＢＡＬＢ／ｃＡマウス（メス、５週齢、体重１６−２０ｇ）にマウス大腸がん細胞（ＣＴ２６．３Ｘ１０６ｃｅｌｌｓ）を右大腿部に播種し、腫瘍直径６―８ｍｍとなるように作製した。
処置後約１４日後に前記試験化合物をホウ素換算量として１０ｍｇ１０Ｂ／Ｋｇの濃度（ＢＳＨ投与群では最も抗腫瘍効果が得られるように５７ｍｇ１０Ｂ／Ｋｇの濃度）で尾部に静注した。また、放射線のみ照射した群（コントロール）や無処置群は前投与を行わなかった。
２４時間後に中性子線照射を京都大学研究用原子炉（ＫＵＲ）で行なった。中性子線量は５．２Ｘ１０１２ｎｅｕｔｒｏｎ／ｃｍ２とし、照射時間は２時間とした。腫瘍抑制効果は照射後の腫瘍径を経時的に２６日目までに測定し、コントロール群と比較した。コントロールには、中性子線照射のみを行った群と投与および照射を行わなかった群（無処置群）を用いて比較検討を行なった。なお、腫瘍サイズの測定は下記計算式により行なった。
〔長径（ｍｍ）〕Ｘ〔短径（ｍｍ）〕２／２＝腫瘍サイズ（ｍｍ３）
その結果、ＢＡＭＰ投与群とＢＳＨ投与群の腫瘍の大きさを比較すると、ＢＳＨ投与群のほうがホウ素投与量が多いにもかかわらず、ＢＡＭＰ投与群のほうがＢＳＨ投与群よりも抗腫瘍効果が著しく強かった（図３）。【００４９】
また、ＢＡＭＰ投与群はＢＳＨをＰＢＬ修飾リポソームに包接させたＰＢＬ−ＢＳＨ群よりも抗腫瘍効果が著しく強かった（図４）。
〔実施例３〕
実施例１で得られたＢＡＭＰ、ＢＰＡ（インターファーマ社製）の２種類の試験化合物を、担がんマウスに投与し、ホウ素中性子捕捉療法（ＢＮＣＴ）実施時の治療増強効果および抗腫瘍効果を検討した。担がんマウスモデルはＢＡＬＢ／ｃＡマウス（メス、４週齢、体重１６−２０ｇ）にマウス大腸がん細胞（ＣＴ２６．５Ｘ１０６ｃｅｌｌｓ）を右大腿部に播種し、腫瘍直径６―８ｍｍとなるように作製した。
処置後約１２日後にＢＡＭＰをホウ素換算量として１０ｍｇ１０Ｂ／Ｋｇおよび２４ｍｇ１０Ｂ／Ｋｇの２種類の投与量、ＢＰＡはホウ素換算量として１０ｍｇ１０Ｂ／Ｋｇの投与量で尾部に静注した。
ＢＡＭＰ投与群は３６時間後に、ＢＰＡ投与群は２時間後に中性子線照射を京都大学研究用原子炉（ＫＵＲ）で行なった。中性子線量は１．８−４．０Ｘ１０１２ｎｅｕｔｒｏｎ／ｃｍ２で１時間照射した。抗腫瘍効果は照射後の腫瘍径を経時的に２４日目までに測定し、照射のみを行ったコントロール群と比較した。また、投与も照射も行っていない無処置群を用いた比較検討も行なった。なお、腫瘍サイズの測定は下記計算式により行なった。
〔長径（ｍｍ）〕Ｘ〔短径（ｍｍ）〕２／２＝腫瘍サイズ（ｍｍ３）
その結果、ＢＡＭＰ投与群とＢＰＡ投与群の腫瘍の大きさを比較すると、ＢＡＭＰ１０ｍｇ１０Ｂ／Ｋｇ投与群は、ＢＰＡ１０ｍｇ１０Ｂ／Ｋｇ投与群よりも、抗腫瘍効果が有意に高かった（図５）。
また、ＢＡＭＰ２４ｍｇ１０Ｂ／Ｋｇ投与群は、ＢＡＭＰ１０ｍｇ１０Ｂ／Ｋｇ投与群より抗腫瘍効果が有意に高く（図６）、ＢＡＭＰの効果には用量依存性が見られた。
【産業上の利用可能性】
【００５０】
本発明により、ホウ素中性子捕捉療法に理想的な水溶性が高く、腫瘍内でホウ素濃度が２０ｐｐｍ以上になり、Ｔ／Ｂ比が５以上になる抗腫瘍剤・放射線医療の増感剤が提供される。
【符号の説明】
【００５１】
ＢＡＭＰ：ＢＡＭＰ投与群
ＢＳＨ：ＢＳＨ投与群
ＰＢＬ−ＢＳＨ：ＰＢＬ修飾リポソームに包接させたＢＳＨ投与群
ＰＢＬ−ｐｌａｎｅ：ＰＢＬ修飾リポソーム投与群
ｉｉｒａｄｉａｔｉｏｎ  ｏｎｌｙ２ｈｏｕｒ：中性子線２時間照射群
ｉｉｒａｄｉａｔｉｏｎ  ｏｎｌｙ１ｈｏｕｒ：中性子線１時間照射群
ｎｏ  ｔｒｅａｔｍｅｎｔ：無処置群
ＢＡＭＰ１０ｍｇＢ／Ｋｇ：ＢＡＭＰ１０ｍｇ１０Ｂ／Ｋｇ投与群
ＢＡＭＰ２４ｍｇＢ／Ｋｇ：ＢＡＭＰ２４ｍｇ１０Ｂ／Ｋｇ投与群
ＢＰＡ１０ｍｇＢ／Ｋｇ：ＢＰＡ１０ｍｇ１０Ｂ／Ｋｇ投与群
ｉｉｒａｄｉａｔｉｏｎ  ｏｎｌｙ        ：中性子線１時間照射群
【図１】
2020040296.tif 000009
【図２】
2020040296.tif 000010
【図３】
2020040296.tif 000011
【図４】
2020040296.tif 000012
【図５】
2020040296.tif 000013
【図６】
2020040296.tif 000014
【国際調査報告】
2020040296.tif 000015
2020040296.tif 000016
2020040296.tif 000017
2020040296.tif 000018